【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
ユーザの頭部を支持するためのシステムにおいて、
ユーザの身体に装着されるように構成されたハーネスであって、ユーザの片側または両側の肩の上かその周りに装着されるように構成された肩部ハーネスを有するハーネスと、
支持ブラケットの第２の端部が前記ハーネスを装着したユーザの頭の後部に隣接して位置するような位置で前記ハーネスに取り付けられる第１の端部を有する支持ブラケットを具えるヘッドサポートと、
ユーザの頭部に装着されるように構成されたヘッドギアであって、ユーザの頭部の後ろに延在するように寸法決めされたバンドを有するヘッドギアと、
前記支持ブラケットの第２の端部と前記ヘッドギアとの間に結合された細長いコードであって、ユーザが頭を下に傾けることを許容し、その頭の重量を少なくとも部分的に支持する平衡力を提供する弾性構造を含むコードと、を具えることを特徴とするシステム。
【請求項２】
ユーザの頭部を支持するためのシステムにおいて、
ユーザの身体に装着されるように構成されたハーネスであって、ユーザの片側または両側の肩の上かその周りに装着されるように構成された肩部ハーネスを有するハーネスと、
支持ブラケットの第２の端部が前記ハーネスを装着したユーザの頭の後部に隣接して位置するような位置で前記ハーネスに取り付けられる第１の端部を有する支持ブラケットを具えるヘッドサポートと、
ユーザの頭部に装着されるように構成されたヘッドギアであって、ユーザの頭部の後ろに延在するように寸法決めされたバンドを有するヘッドギアと、
前記支持ブラケットの第２の端部と前記ヘッドギアとの間に結合された細長いコードとを具え、
前記支持ブラケットの第２の端部は、ユーザが頭を下に傾けることを許容するとともに、その頭の重量を少なくとも部分的に支持する平衡力を提供するために、レスト位置から偏向可能であることを特徴とするシステム。
【請求項３】
請求項１または２のシステムにおいて、前記コードの第１の端部は前記支持ブラケットの第２の端部に結合され、前記コードの第２の端部はクレビスに結合され、前記システムは前記バンドに結合されたレールを更に具え、前記クレビスは摺動可能に前記レールに連結され、頭を左右に回転させると前記クレビスが前記コードを実質的に変形させることなく前記レールに沿って摺動することを特徴とするシステム。
【請求項４】
請求項１または２のシステムにおいて、前記コードは、前記支持ブラケットの第２の端部に結合された第１の端部と、前記コードの第２の端部を前記ヘッドギアのバンドに取り外し可能に接続するためのコネクタを有する第２の端部とを具えることを特徴とするシステム。
【請求項５】
請求項３のシステムにおいて、前記コネクタは、前記ヘッドギアのバンドに固定されるように構成されたクリップを具えることを特徴とするシステム。
【請求項６】
請求項３のシステムにおいて、さらに、前記ヘッドギアのバンドに結合されるように構成されたクリップを具え、前記クリップはレールを担持し、前記コネクタが前記レールに摺動可能に連結されたクレビスを具え、頭を左右に回転させると前記クレビスが前記コードを実質的に変形させることなく前記レールに沿って摺動することを特徴とするシステム。
【請求項７】
請求項１または２のシステムにおいて、前記ヘッドギアが、溶接ヘルメット、マスク、ヘッドマウントランプ、またはヘッドマウント拡大鏡を含むことを特徴とするシステム。
【請求項８】
請求項１または２のシステムにおいて、前記コードは、前記バンドに接続可能な第１の端部と、前記コードの第２の端部を前記支持ブラケットに取り外し可能に接続するためのコネクタに接続可能な第２の端部とを具えることを特徴とするシステム。
【請求項９】
請求項１または２のシステムにおいて、前記ヘッドギアは、前記ハーネスが装着されたときにユーザの額に接触するように、前記ユーザの頭の周りに少なくとも部分的に延在するレスト部材を具えることを特徴とするシステム。
【請求項１０】
ユーザの頭部を支持するためのシステムにおいて、
ユーザの身体に装着されるように構成されたハーネスであって、ユーザの一方または双方の肩の上かその周りに装着されるように構成された肩部ハーネスを含むハーネスと、
前記ハーネスを装着したユーザの頭部の近くに支持ブラケットが位置するように前記ハーネスに取り付けられる第１の端部を含む支持ブラケットを含むヘッドサポートと、
前記ハーネスが着用されたときにユーザの額に接触するようにユーザの頭の周囲に少なくとも部分的に延在するように、前記支持ブラケットの第２の端部に連結されたレスト部材とを具えることを特徴とするシステム。
【請求項１１】
請求項１または２のシステムにおいて、前記コードは、当該コードの長さが前記第１の端部と前記第２の端部との間の第１の長さから伸張可能であるが前記第１の長さへとバイアスされるようなバネ要素を含むことを特徴とするシステム。
【請求項１２】
請求項１、２、および１０のいずれかのシステムにおいて、前記支持ブラケットは、実質的に剛性であることを特徴とするシステム。
【請求項１３】
請求項９または１０のシステムにおいて、前記支持ブラケットの前記第２の端部は、前記レスト部材が着用されているときにユーザがユーザの頭部を前に傾けるのに適応するためにレスト位置から偏向可能であるが、その場合でも前記ユーザの頭部を支持するために前記レスト位置へと付勢されていることを特徴とするシステム。
【請求項１４】
請求項１、２、および１０のいずれかのシステムにおいて、さらに、前記ハーネスに連結され、ユーザの腕を支持するように構成されたアームサポートを具えることを特徴とするシステム。
【請求項１５】
ユーザを支援するためのシステムにおいて、
ユーザの身体に装着されるように構成されたハーネスであって、ユーザの片側または両側の肩の上かその周りに装着されるように構成された肩部ハーネスを有するハーネスと、
前記ハーネス上のヘッドサポートと、
前記ハーネスに連結され、ユーザの腕を支持するように構成されたアームサポートであって、腕の動きに適応しつつ、ユーザの腕の動きに実質的に干渉することなくその動きに追従するように構成されたアームサポートとを具えることを特徴とするシステム。
【請求項１６】
請求項１５のシステムにおいて、前記ヘッドサポートは、請求項１、２、および１０のいずれかに記載のヘッドサポートを含むことを特徴とするシステム。
【請求項１７】
請求項１６のシステムにおいて、前記アームサポートは、当該アームサポートに取り付けられ、ユーザの動作に伴って当該ユーザの腕に作用する重力を少なくとも部分的に相殺するように構成された１またはそれ以上の補償要素を具え、前記アームブラケットはユーザの腕の動きに追従することを特徴とするシステム。
【請求項１８】
ユーザの頭部を支持するための方法において、
ユーザの身体に支持ブラケットを有するヘッドサポートを担持するハーネスを装着するステップであって、前記支持ブラケットは、当該支持ブラケットの第２の端部がユーザの頭の後部に隣接して配置されるような位置で前記ハーネスに取り付けられる第１の端部を有する、ステップと、
前記支持ブラケットに結合されたレスト部材を、前記レスト部材がユーザの頭の周囲に少なくとも部分的に延在してユーザの額と接触するように位置決めするステップと、
前記頭部の下方傾斜および回転を含む１またはそれ以上のタスクを行い、前記レスト部材が前記頭部の回転に対応し、前記頭部が下に傾いたときに頭部の重量を少なくとも部分的にオフセットするための平衡力を提供するステップとを含むことを特徴とする方法。
【請求項１９】
請求項１８の方法において、前記ハーネス、サポート部材、及びレスト部材は、請求項１、２、および１０のいずれかに記載のシステムの一部であることを特徴とする方法。